(57)【要約】      （修正有）【課題】すばやく動かすことができるとともに手から落ちにくいホルダー型デンタルフロスを提供する。【解決手段】ホールド部３１と、フロス部３２と、尖端部３３と、からなる。前記ホールド部３１の両側には、複数の滑り止め凸粒３１１が設けられ、凸粒３１１は、ホールド部３１の両側端面上に満遍なく分布される。ホールド部３１の一端には固定部が連結され、前記固定部は、凹弧状を呈するとともにフロス部３２を形成する。フロス部３２は、二本の位置決め柱を形成し、位置決め柱の間にはフロス３２３が固定され、ホールド部３１の他端は尖った形状の尖端部３３を形成し、尖端部３３は、上に曲がって角度を形成する。【選択図】図３
0003180364.tif 000002
【実用新案登録請求の範囲】
【請求項１】
ホールド部と、フロス部と、尖端部と、からなるホルダー型デンタルフロスであって、
前記ホールド部には、複数の凸粒が設けられ、ホールド部の両端には、それぞれ、フロス部及び尖端部が連結され、尖端部末端は、上に折れ曲がって角度を形成することを特徴とする、ホルダー型デンタルフロス。
【請求項２】
前記凸粒は、円形、或いは、楕円形、或いは、幾何学図形であり、しかも、ホールド部の両側端面に満遍なく分布されることを特徴とする、請求項１に記載のホルダー型デンタルフロス。
【考案の詳細な説明】
【技術分野】
【０００１】
本考案はホルダー型デンタルフロスに関し、特にすばやく動かすことができるとともに手から落ちにくいホルダー型デンタルフロスに関する。
【背景技術】
【０００２】
現代人の口腔のクリーニングに対する意識は、日増しに高まっている。多くの人が、食事の後に、つまようじやホルダー型デンタルフロスなどを使って簡単な口腔クリーニングを行うため、ホルダー型デンタルフロスは、次第に生活の必需品となりつつある。従来のホルダー型デンタルフロス１を図１に示す。従来のホルダー型デンタルフロス１は、主に、ホールド部１１と、固定部１２と、尖端１３と、からなる。ホルダー型デンタルフロス１の固定部１２は、フロス１２１が設けられる。この従来のホルダー型デンタルフロス１を使用するときは、ホルダー型デンタルフロス１のホールド部１１を手にもち、フロス１２１あるいは尖端１３を利用して、歯の隙間のクリーニングを行う。しかしながら、市場に出回っているホルダー型デンタルフロス１のホールド部１１は、その多くが、つるつるのプラスチック材質からなるため、ホルダー型デンタルフロス１を手にもって歯の隙間の間を移動させてクリーニングを行った時に、手が滑ってホルダー型デンタルフロス１が落ちてしまうことがよくある。従って、使用上非常に不便であり、しかも、その尖端１３の多くは平行状であるため、歯をほじる時に、手を不自然な角度に曲げなければならない。また、現状では、尖端２１は下に折れ曲がる角度につくられている（図２に図示）が、ホルダー型デンタルフロス２を下の歯に使用する時に、角度の問題で素早く動かすことができないため、改良の必要がある。
【考案の概要】
【考案が解決しようとする課題】
【０００３】
そこで、本考案は、すばやく動かすことができるとともに手から落ちにくいホルダー型デンタルフロスを提供することを目的とする。
【課題を解決するための手段】
【０００４】
本考案によるホルダー型デンタルフロスは、ホールド部と、フロス部と、尖端部と、からなる。前記ホールド部の両側には、複数の滑り止め凸粒が設けられ、凸粒は、ホールド部の両側端面上に満遍なく分布される。ホールド部の一端には固定部が連結され、前記固定部は、凹弧状を呈するとともにフロス部を形成する。フロス部は、二本の位置決め柱を形成し、位置決め柱の間にはフロスが固定され、ホールド部の他端は尖った形状の尖端部を形成し、尖端部は、上に曲がって角度を形成する。前記ホルダー型デンタルフロスを使用して、歯の隙間のクリーニングを行う時は、ホールド部に満遍なく設けられた滑り止め凸粒により、ホルダー型デンタルフロスが手から滑ったり落ちたりしない。また、前記ホルダー型デンタルフロスの尖端部によって歯の隙間内に残っている食べカスをほじくり出す時に、その尖端が上を向いた角度になっているため、上の歯か下の歯かを問わず、歯の隙間をほじる動作を素早く行うことができ、口腔の衛生を保つことができる。
【図面の簡単な説明】
【０００５】
【図１】従来のホルダー型デンタルフロスの斜視図である。
【図２】もう一つの従来のホルダー型デンタルフロスの斜視図である。
【図３】本考案の斜視図である。
【図４】本考案の使用を示した説明図である。
【図５】本考案の使用の際の動作を示した説明図１である。
【図６】本考案の使用の際の動作を示した説明図２である。
【考案を実施するための形態】
【０００６】
まず、図３を参照する。図３は、本考案の斜視図である。本考案のホルダー型デンタルフロス３は、主に、ホールド部３１と、フロス部３２と、尖端部３３とからなる。ホールド部３１の両側端面上には、複数の滑り止め凸粒３１１が設けられ、その凸粒３１１は、円弧或いは楕円弧面状を呈し、ホールド部３１の両側端面に満遍なく分布される。ホールド部３１の一端にはフロス部３２が連結される。フロス部３２は、凹弧状を呈するとともに、延伸して位置決め柱３２１、３２２を形成する。また、二本の位置決め柱３２１、３２２の間には、フロス３２３が固定され、ホールド部３１の他端は、尖った形状の尖端３３を形成し、尖端３３は、上に降り曲がって角度を形成する。
【０００７】
次に、図４を参照する。図４は、本考案の使用を示した説明図である。歯の隙間のクリーニングを行う時は、ホルダー型デンタルフロス３のホールド部３１を手で握ると、ホールド部３１の両側端面に分布された滑り止め凸粒３１１によって、ホルダー型デンタルフロス３を歯間内で移動させる時に手から落ちたり滑ったりしにくくなり、それにより、フロス部３２のフロス３２３が歯の隙間の食べカスをしっかりとクリーニングすることができるため、口の中をきれいにすることができる。
【０００８】
続いて、図５を参照する。図５は、本考案の使用の際の動作を示した説明図１である。ホルダー型デンタルフロス３は、フロス部３２に固定されたフロス３２３によって歯の隙間をクリーニングできるだけでなく（図４に図示）、ホルダー型デンタルフロス３の尖端部３３を利用して、歯の隙間内に残留した食べカスをほじくり出すことができる。そのために、ホルダー型デンタルフロス３の尖端部３３は、上に曲がった角度を呈している。以上の構造により、上の歯に対してほじる動作を行う時は、前記ホルダー型デンタルフロス３を握った手を、そのまま下に動かし軽く力を入れるだけで、尖端３３を歯の隙間に深く入れて食べ物の残りカスをかきだすことができる。また、食べカスをほじくり出す動作を下の歯に対して行う時は（図６に図示）、前記ホルダー型デンタルフロス３を握った手をそのまま上に動かすだけで、簡単に歯の隙間のクリーニングを行うことができ、口腔の衛生を保ち、歯周病の発生率を下げることができる。本考案のホルダー型デンタルフロス３を使用すると、以下の利点がある。
【０００９】
１、ホルダー型デンタルフロス３のホールド部３１の両側端面には、滑り止め凸粒３１１が満遍なく分布されていることにより、歯の隙間のクリーニングを行う時、手でホルダー型デンタルフロス３をしっかりと持つことができ、しかもホルダー型デンタルフロス３を移動させやすく、手の中で滑ったり、手から落ちたりしなくなる。
【００１０】
２、ホルダー型デンタルフロス３の尖端部３３は、上に曲がった角度を備えているため、上の歯か下の歯かを問わず、歯の隙間をほじる動作を素早く行うことができる。
【符号の説明】
【００１１】
（従来）
１、２      ホルダー型デンタルフロス    
１１        ホールド部                    
１２        固定部
１２１      フロス
１３、２１  尖端
（本考案）
３          ホルダー型デンタルフロス
３１        ホールド部
３１１      凸粒                                      
３２        フロス部                    
３２１、３２２  位置決め柱
３２３      フロス                                    
３３        尖端部                    
【図１】
0003180364.tif 000003
【図２】
0003180364.tif 000004
【図３】
0003180364.tif 000005
【図４】
0003180364.tif 000006
【図５】
0003180364.tif 000007
【図６】
0003180364.tif 000008